(57)【特許請求の範囲】
【請求項１】
前後胴周り部と、股下部と、胴周り開口と、一対の脚周り開口とを有する使い捨て着用物品において、
複数のプリーツが、前記胴周り部に形成されてその胴周り方向へ延び、その両側部において固定されていることを特徴とする前記物品。
【請求項２】
前記胴周り開口から前記股下部へ向かって上部に位置するプリーツが、その下部に位置するプリーツの略半分を順次被覆している請求項１記載の物品。
【請求項３】
前記プリーツどうしが、互いに重なり合う部分で剥離可能に接合されている請求項２記載の物品。
【請求項４】
前記プリーツが、前記前後胴周り部の少なくとも一方に位置している請求項１ないし請求項３いずれかに記載の物品。
【請求項５】
前記物品が、トランクス型であって不織布から別体に形成された前後身頃から構成され、前記前後身頃が、前記前後胴周り部と、前記胴周り部に連続し前記股下部において互いに分岐して延びる一対の脚挿入部とを有し、かつ、前記前後胴周り部および前記脚挿入部の外側縁と、前記脚挿入部の内側縁とにおいて、互いに接合されている請求項１ないし請求項４いずれかに記載の物品。
【発明の詳細な説明】
【０００１】
【発明の属する技術分野】
本発明は、トレーニングパンツやボクサーパンツ等の使い捨て着用物品に関する。
【０００２】
【従来の技術】
特開平６−６３０７３号公報は、略同形同大の前後身頃を別体に形成し、それら身頃の股下域にそれら身頃の胴周りの側へ凸曲する接合線を設け、凸曲接合線で画成される股下域の外側縁に沿って凹欠部が形成されたトランクス型の使い捨て着用物品を開示している。
【０００３】
【発明が解決しようとする課題】
物品の着用者には個人差はあるものの、着用者の腹部と臀部とには多少の膨らみを有する。特開平６−６３０７３号公報開示の物品は、前後身頃それぞれが伸張することができないので、物品を着用したときに着用者の腹部と臀部との膨らみにそれら身頃が適合することができず、着用者に圧迫感を与えることがある。
【０００４】
本発明の課題は、着用時に着用者の腹部と臀部との膨らみに適合することができ、着用者に圧迫感を与えることがない使い捨て着用物品を提供することにある。
【０００５】
【課題を解決するための手段】
前述した課題を解決するための本発明は、前後胴周り部と、股下部と、胴周り開口と、一対の脚周り開口とを有する使い捨て着用物品を改良することにある。
【０００６】
改良に係る本発明が特徴とするところは、複数のプリーツが、前記胴周り部に形成されてその胴周り方向へ延び、その両側部において固定されていることにある。
【０００７】
本発明は、以下の構成態様を有する。
（１）前記胴周り開口から前記股下部へ向かって上部に位置するプリーツが、その下部に位置するプリーツの略半分を順次被覆している。
（２）前記プリーツどうしが、互いに重なり合う部分で剥離可能に接合されている。
（３）前記プリーツが、前記前後胴周り部の少なくとも一方に位置している。
（４）前記物品が、トランクス型であって不織布から別体に形成された前後身頃から構成され、前記前後身頃が、前記前後胴周り部と、前記胴周り部に連続し前記股下部において互いに分岐して延びる一対の脚挿入部とを有し、かつ、前記前後胴周り部および前記脚挿入部の外側縁と、前記脚挿入部の内側縁とにおいて、互いに接合されている。
【０００８】
【発明の実施の形態】
添付の図面を参照して、本発明に係る使い捨て着用物品の詳細を説明すると、以下のとおりである。
【０００９】
図１は、後身頃３の側から示す使い捨て着用物品１の部分破断斜視図である。物品１は、トランクス型のもので、不織布から別体に形成された前身頃２と後身頃３とから構成され、図の上方から下方へ向かって胴周り開口４と、前後胴周り部１ａと、一対の脚挿入部１ｂと、一対の脚周り口５とを有する。
【００１０】
物品１には、胴周り開口４の縁部に沿ってフィルム状の胴周り用弾性部材６が伸長状態で取り付けられている。物品１の脚周り開口５の間に位置する股下部７には、物品１の胴周り開口４の側へ向かってＶ字状の凹欠部８が形成されている。物品１の後身頃３には、胴周り方向へ延びる複数のプリーツ９が胴周り部１ａに形成され、物品１の両側部で固定されている。物品１には、弾性部材６の伸長状態が解除され、胴周り開口４の縁部に沿ってギャザーが形成されている。
【００１１】
図２は、図１の物品１の分解斜視図である。前後身頃２，３は、前後胴周り部１ａと、胴周り部１ａに連続し股下部７において互いに分岐して延びる一対の脚挿入部１ｂとを有する。前後身頃２，３は、互いに並行して長手方向へ延びる両側縁部２ａ，３ａと、互いに並行して幅方向へ延びる上下端部２ｂ，２ｃ，３ｂ，３ｃとを有し、上端部２ｂ，３ｂに沿って胴周り用弾性部材６がそれら身頃２，３に被覆された状態で伸長下に取り付けられている。前後身頃２，３の下端部２ｃ，３ｃそれぞれには、脚挿入部１ｂの間にそれら身頃２，３の上端部２ｂ，３ｂの側へ向かう凹欠部８が形成されている。
【００１２】
プリーツ９は、キルトプリーツであって、後身頃３の上端部３ｂから下端部３ｃへ向かって上部に位置するプリーツ９が下部に位置するプリーツ９の略半分を順次被覆している。前身頃２と後身頃３とには、それら身頃２，３の両側縁部２ａ，３ａに沿って接合縁部２ｄ，３ｄが延び、それら身頃２，３の凹欠部８に沿って接合縁部２ｅ，３ｅが延びている。前身頃２と後身頃３とが接合縁部２ｄ，２ｅ，３ｄ，３ｅで互いに接合されることによって、図１に示す物品１になる。
【００１３】
図３は、図１のＡ−Ａ線断面図である。プリーツ９は、長手方向の断面がジグザグ形状を画くように内側と外側とにおいて交互に折曲されて重なり、互いに並行して延びる外側の各折り目９ａが重なり合うことのないように、図の下方へ向かって上部に位置する折り目９ａを順次外側へずらしている。プリーツ９それぞれは、後身頃３の上下端部３ｂ，３ｃの間に間欠的に延びる接合部１０で互いに剥離可能に接合されている。接合部１０は、プリーツ９どうしが互いに重なり合う部分に形成されている。
【００１４】
物品１は、プリーツ９が物品１の幅方向内方へ向かって略垂直に立っていないので、物品１の着用時にプリーツ９の折り目９ａが着用者の肌に当接することがなく、違和感を与えることがない。プリーツ９は、互いに並行して延びる外側の各折り目９ａが重なり合うことのないように、図の上方へ向かって下部に位置する折り目９ａを順次外側へずらすものでもよい。
【００１５】
図４，５は、図１とは異なる態様の後身頃３の側から示す着用物品１の斜視図と、前身頃２の側から示す着用物品１の斜視図である。物品１は、不織布から別体に形成された前身頃２と後身頃３とを有し、胴周り開口４と、前後胴周り部１ａと、一対の脚挿入部１ｂと、一対の脚周り開口５とを有する点において図１の物品１と同一である。
【００１６】
物品１の前後身頃２，３には、胴周り方向へ延びる複数のプリーツ９が胴周り部１ａに形成され、物品１の両側部で固定されている。プリーツ９は、キルトプリーツであって、前後身頃２，３の上端部２ｂ，３ｂから下端部２ｃ，３ｃへ向かって上部に位置するプリーツ９が下部に位置するプリーツ９の略半分を順次被覆している。
【００１７】
図６は、図４のＢ−Ｂ線断面図である。前身頃２のプリーツ９は、プリーツ９それぞれの長手方向へ延びる寸法Ｌ１が前身頃２の中央部で大きく、前身頃２の上端部２ｂと下端部２ｃとへ向かうにつれてプリーツ９それぞれの寸法Ｌ１が次第に小さくなっている。後身頃３のプリーツ９は、後身頃３の上端部３ｂから下端部３ｃへ向かうにつれてプリーツ９それぞれの長手方向へ延びる寸法Ｌ２が次第に大きくなっている。
【００１８】
前身頃２では、中央部に位置するプリーツ９の寸法Ｌ１が上下端部２ｂ，２ｃに位置するプリーツ９のそれと比較して大きいので、プリーツ９の折り目９ａが折り返されてプリーツ９それぞれが延びたときに、前身頃２の中央部が上下端部２ｂ，２ｃと比べて大きく伸長することができ、前身頃２が着用者の腹部の膨らみに適合することができる。後身頃３では、プリーツ９の寸法Ｌ２が下端部３ｃに向かうほど大きくなっているので、プリーツ９の折り目９ａが折り返されてプリーツ９それぞれが延びたときに、後身頃３の下端部３ｃの側が上端部３ｂの側と比べて大きく伸長することができ、後身頃３が着用者の臀部の膨らみに適合することができる。
【００１９】
プリーツ９としては、キルトプリーツの他に、襞山がつき合わせになったインバーティドプリーツ、折り方が不規則なイレギュラープリーツ、襞山が略垂直に立っているアコーディオンプリーツ、折り目が裏でつき合わせになったボックスプリーツ等を例示することができる。
【００２０】
前後身頃２，３には、スパンレース、ニードルパンチ、メルトブローン、サーマルボンド、スパンポンド、ケミカルボンド等の不織布を使用することができる。目付としては、１５〜８０ｇ／ｍ２、好ましくは、２０〜６０ｇ／ｍ２である。不織布の構成繊維としては、ポリオレフィン系、ポリエステル系、ポリアミド系、の各熱可塑性繊維、ポリエチレン／ポリプロピレンまたはポリエステルの複合繊維等を使用することができる。また、それら不織布にプラスチックフィルムを積層した複合シートを使用することもできる。
【００２１】
前後身頃２，３の接合や弾性部材６の取り付けには、ホットメルト接着剤等の接着剤や粘着剤、または、熱溶着の技術を利用することができる。身頃２，３にプリーツ９を形成するには、プリーツ加工の技術を利用することができる。
【００２２】
【発明の効果】
本発明に係る使い捨て着用物品によれば、物品の着用時に身頃のプリーツが延びて、それら身頃が着用者の腹部と臀部との膨らみに適合することができる。プリーツどうしが剥離可能に接合されているので、物品の未着用時にプリーツの折り目が延びてしまうことがない。
【図面の簡単な説明】
【図１】後身頃の側から示す使い捨て着用物品の部分破断斜視図。
【図２】図１の分解斜視図。
【図３】図１のＡ−Ａ線矢視断面図。
【図４】図１とは異なる態様の後身頃の側から示す着用物品の斜視図。
【図５】前身頃の側から示す図４の着用物品の斜視図。
【図６】図４のＢ−Ｂ線断面図。
【符号の説明】
１              使い捨て着用物品
１ａ            前後胴周り部
１ｂ            脚挿入部
２              前身頃
２ａ            両側縁部
２ｂ            上端部
２ｃ            下端部
３              後身頃
３ａ            両側縁部
３ｂ            上端部
３ｃ            下端部
４              胴周り開口
５              脚周り開口
７              股下部
８              凹欠部
９              プリーツ
【図１】
0003626638.tif 000002
【図２】
0003626638.tif 000003
【図３】
0003626638.tif 000004
【図４】
0003626638.tif 000005
【図５】
0003626638.tif 000006
【図６】
0003626638.tif 000007